(57)【要約】【課題】患者などの洗髪すべき者をベッドに寝かせた状態で、周囲をよごすことなく患者などを気持ち良く洗髪することができるように構成した洗髪器、洗髪装置を提供する。【解決手段】洗髪すべき者１４２の頭部１４２ｈをおおうための密閉型の洗髪器１１０は、前側に設けられ、洗髪すべき者１４２の頭部１４２ｈを受け入れるための前開口部１１２ｂと、後側に設けられた１つ以上の作業用孔１１２ｃ、１１２ｄと、底部に設けられた排水用の底開口部１１２ｆとを有する。洗髪作業者は作業用孔１１２ｃ、１１２ｄより両手を入れて洗髪作業を行うことができる。【選択図】　　　図１
2004016582.tif 000002
【特許請求の範囲】
【請求項１】
洗髪すべき者の頭部をおおうための密閉型の洗髪器であって、
前側に設けられ、洗髪すべき者の頭部を受け入れるための前開口部と、
後側に設けられた１つ以上の作業用孔と、
底部に設けられた排水用の底開口部と、
内部に配置され、洗髪すべき者の頭部を支持するための、１つ以上の頭部受座と、
を備えることを特徴とする洗髪器。
【請求項２】
洗髪すべき者の頭部をおおうための密閉型の洗髪器であって、
前側に設けられ、洗髪すべき者の頭部を受け入れるための前開口部と、
後側に設けられた１つ以上の作業用孔と、
底部に設けられた排水用の底開口部と、
前記底開口部に着脱可能に設けられた排水用の排水部材とを備え、
該排水部材は、前記底開口部の中心軸線に対して回転可能に構成されることを特徴とする洗髪器。
【請求項３】
上半部の後側に設けられ、水平方向に延びる長孔状に形成された作業用孔を備えることを特徴とする、請求項１又は２に記載の洗髪器。
【請求項４】
洗髪すべき者の頭部を洗髪するための洗髪装置であって、
請求項１〜３のいずれか１項に記載の洗髪器と、
前記洗髪器の中に温水を供給するための給湯装置と、
作業済みの液体を前記洗髪器から排水するための排水装置とを備え、
前記給湯装置から前記洗髪器の前記作業用孔を通して前記洗髪器の中に温水を供給することができるように構成され、かつ、前記洗髪器の前記底開口部から作業済みの液体を前記排水装置に排水することができるように構成される、
ことを特徴とする洗髪装置。
【請求項５】
請求項４に記載の洗髪装置であって、さらに、前記洗髪器の中に温風および冷風を吹き出すことができるように構成された送風装置を備えることを特徴とする洗髪装置。
【発明の詳細な説明】
【０００１】
【発明の属する技術分野】
本発明は、洗髪すべき者の頭部を洗髪するための密閉型洗髪器及びそれを含む洗髪装置に関する。特に、本発明は、要介護者、病院に入院中の患者などをベッドに寝かせた状態で周囲をよごすことなく患者などを洗髪するための密閉型洗髪器及びそれを含む洗髪装置に関する。また、本発明は、家庭、床屋、美容院等において、仰向け状態で洗髪すべき者の頭部をほぼ水平な状態に保持して周囲をよごすことなく頭部を洗髪するための密閉型洗髪器及びそれを含む洗髪装置に関する。
【０００２】
【従来の技術】
従来、要介護者、病院に入院中の患者などをベッドに寝かせた状態で洗髪するための洗髪器は、ゴムマットの上で患者の頭部を洗髪するようなものであった。このような旧式の洗髪器においては、洗髪するための給湯装置の湯圧を上げれば湯水が患者の周囲に飛散し、患者の肩及び顔から耳の部分に湯水がかかることがあった。このため、洗髪時に患者が不安感及び肌寒さなどの不快感を感じることが多いので、病院などにおいてこのような旧式の洗髪器を実際に使用することは少なかった。
【０００３】
特開２００１−８７０３１号公報に開示されている要介護人の洗髪装置は、洗髪水準より高い位置に給水タンクと、給水タンクから自然落下で通水するシャワーと、洗面台と、頭置台と、水飛散防止カーテンとを備えている。
特開平１１−２４４０３１号公報に開示されている寝台型洗髪器具は、洗髪容器と、洗髪容器に取り付けた洗髪容器用補助具を備える。洗髪容器用補助具は断面がＵ字状の支持部を有する。支持部に設けられた受け部が、洗髪中、被洗髪者の頭部を支えるようになっている。
特開平８−１０３３２２号公報に開示されている寝たまま洗髪器は、流しユニットと、姿勢保持ユニットとを備える。患者を洗髪するときは、この寝たまま洗髪器を寝床と患者との間に差し込むことができる。
実開昭５９−３８９２６号公報に開示されている頭洗い器は、楕円形の容器の片面底部に頭を入れるための透孔を設け、容器の中程左右壁面に手を入れるための透孔を設けて、ホースを用いて容器の中のシャワーに給水するように構成されている。
実開昭４９−３７９９号公報に開示されている覆袋は、柔軟な防水性材の袋の上部に給水管を設け、この給水管によりシャワーを袋の中に配置し、袋の下部に排水管を設け、袋口に締バンドを設け、袋の左右に手差し入れ口を取り付けるように構成されている。
【０００４】
【発明が解決しようとする課題】
しかし、特開２００１−８７０３１号公報に開示されている洗髪装置においては、シャワーの水圧は給水タンクを設けた高さと作業位置との落差により定められるので、非常に小さい圧力である。したがって、この洗髪装置においては、水飛散防止カーテンを設ける必要も少ないであろうと思われる。
【０００５】
また、特開平１１−２４４０３１号公報に開示されている洗髪器具は開放型であるので、０．２ｋｇ／ｃｍ３前後のシャワー圧力を用いる洗髪は、特に素人の洗髪作業者にとって非常に難しいものである。
また、特開平８−１０３３２２号公報に開示されている洗髪器は開放型であるので、０．２ｋｇ／ｃｍ３前後のシャワー圧力を用いる洗髪は、特に素人の洗髪作業者にとって非常に難しいものである。
【０００６】
すなわち、通常、洗髪される者にとって気持ちが良い洗髪作業のシャワー圧力は、０．２ｋｇ／ｃｍ３前後であることが知られている。理容師、美容師などの洗髪作業者は、洗髪すべき者を仰向けにした状態での洗髪作業（シャワーリング）をマスターするのに約６月以上の修行を必要としている。シャワーリングにおいては、洗髪すべき者の頭部に直角に温水を当てると気持ちがよいことが知られている。しかしながら、洗髪すべき者の頭部は丸いので、常に頭部に直角に温水を当てることは非常に難しい。シャワーリング中、美容師などの洗髪作業者はシャワーヘッドを左右の手に持ち替えながら、シャワーヘッドを持たないほうの手で跳ね上がる温水を防ぎながら、両手を用いてシャワーリングを行っている。したがって、公知の洗髪器を用いて、０．２ｋｇ／ｃｍ３前後のシャワー圧力を用いる洗髪作業は、素人にとって不可能であるということができる。したがって、患者をベッドに寝かせた状態で洗髪することは、素人にとって不可能であるされ、従来、このようなことはほとんど行われなかった。
【０００７】
従来、一般家庭で行われる洗髪は、給湯装置からホースを延ばして、０．１ｋｇ／ｃｍ３前後のシャワー圧力を用いて行われている。このような低いシャワー圧力を用いる洗髪は、気持ちが良いとはいえないものである。また、一般家庭においては、ベッドから確実に排水することも難しかった。また、介護施設、病院においては、給湯装置からの配管がベッドの付近まで延びておらず、ベッドから確実に排水することも難しかった。したがって、現在、病院、介護施設、一般家庭のいずれにおいても、このような設備の問題から、ベッドにおいて患者などを気持ち良く洗髪するのがむずかしかった。
また、従来、床屋、美容院等において、仰向け状態で洗髪すべき者の頭部をほぼ水平な状態に保持して洗髪するときも、頭部は開放された状態にあるので、シャワーリング用の上着を用意し、顔をタオルでおおい、さらに、洗髪すべき者と他の者との間隔を十分にとる必要があった。
【０００８】
さらに、実開昭５９−３８９２６号公報に開示されている頭洗い器は、仰向け状態で洗髪すべき者の頭部をほぼ水平な状態に保持して洗髪することは困難であった。そして、この頭洗い器には、洗髪すべき者の頭部を支持する手段は設けられていなかった。したがって、この頭洗い器を用いるとき、洗髪中に洗髪すべき者の頭部を支持することはできなかった。
また、実開昭４９−３７９９号公報に開示されている覆袋は、洗髪すべき者の頭部の上方を洗髪することはできても、洗髪すべき者の頭部の下方、すなわち、耳の後ろや首の上の部分を効果的に洗髪することはできなかった。そして、この覆袋には、洗髪すべき者の頭部を支持する手段は設けられていなかった。したがって、この覆袋を用いるとき、洗髪中に洗髪すべき者の頭部を支持することはできなかった。
【０００９】
【発明の目的】
本発明の目的は、要介護者、病院に入院中の患者などをベッドに寝かせた状態で、患者などの頭部を確実に支持して、周囲をよごすことなく患者などを気持ち良く洗髪することができるように構成した洗髪器及び洗髪器を含む洗髪装置を提供することにある。
また、本発明の他の目的は、家庭、床屋、美容院等において、仰向け状態で洗髪すべき者の頭部をほぼ水平な状態に確実に支持して、周囲をよごすことなく頭部を気持ち良く洗髪することができるように構成した洗髪器及び洗髪器を含む洗髪装置を提供することにある。
【００１０】
さらに、本発明の他の目的は、家庭、床屋、美容院等において、少ないスペースを用いるだけで、頭部以外をぬらさずに、周囲をよごすことなしに、頭部を気持ち良く洗髪することができるように構成した洗髪器及び洗髪器を含む洗髪装置を提供することにある。
【００１１】
【課題を解決するための手段】
本発明は、洗髪すべき者の頭部をおおうための密閉型の洗髪器であって、前側に設けられ、洗髪すべき者の頭部を受け入れるための前開口部と、後側に設けられた１つ以上の作業用孔と、底部に設けられた排水用の底開口部と、内部に配置され、洗髪すべき者の頭部を支持するための、１つ以上の頭部受座と、を備えることを特徴とする。
この構成により、患者などをベッドに寝かせた状態で、周囲をよごすことなく患者などを気持ち良く洗髪することができる。また、この構成により、仰向け状態で洗髪すべき者の頭部をほぼ水平な状態に確実支持して、頭部以外をぬらさずに洗髪することができる。
【００１２】
また、本発明の洗髪器は、前側に設けられ、洗髪すべき者の頭部を受け入れるための前開口部と、後側に設けられた１つ以上の作業用孔と、底部に設けられた排水用の底開口部と、底開口部に着脱可能に設けられた排水用の排水部材とを備え、排水部材は、底開口部の中心軸線に対して回転可能に構成されることを特徴とする。この構成により、患者などをベッドに寝かせた状態で、周囲をよごすことなく患者などを気持ち良く洗髪することができる。また、この構成により、洗髪中、作業済みの液体などを洗髪器から排水部材を用いて確実に排水することができる。
【００１３】
本発明の洗髪器は、上半部の後側に設けられ、水平方向に延びる長孔状に形成された作業用孔を備えるのが好ましい。この構成により、洗髪中、洗髪作業者は両方の手を作業用孔から入れることができ、両方の手を上下左右に動かすことができ、洗髪作業、乾燥作業などをたやすく行うことができる。
【００１４】
さらに、本発明は、洗髪すべき者の頭部を洗髪するための洗髪装置であって、上記の洗髪器と、上記の洗髪器の中に温水を供給するための給湯装置と、作業済みの液体を上記の洗髪器から排水するための排水装置とを備え、給湯装置から洗髪器の作業用孔を通して洗髪器の中に温水を供給することができるように構成し、かつ、洗髪器の底開口部から作業済みの液体を前記排水装置に排水することができるように構成したことを特徴とする。
この構成により、患者などをベッドに寝かせた状態で、周囲をよごすことなく患者などを気持ち良く洗髪することができる。また、この構成により、仰向け状態で洗髪すべき者の頭部をほぼ水平な状態に保持して、頭部以外をぬらさずに洗髪することができる。
【００１５】
さらに、本発明の上記洗髪装置は、洗髪器の中に温風および冷風を吹き出すことができるように構成された送風装置を備えるのがよい。この構成により、患者などをベッドに寝かせた状態で、周囲をよごすことなく患者などを気持ち良く洗髪し、洗髪した髪を短時間で効果的に乾かすことができる。
【００１６】
【発明の効果】
本発明の洗髪装置を用いると、要介護者、病院に入院中の患者などをベッドに寝かせた状態で周囲をよごすことなく患者などを気持ち良く洗髪することができる。本発明の洗髪装置を用いると、素人でも確実に要介護者などを洗髪することができるので、要介護者は気持ちの良さを感じ、洗髪する者と洗髪される者との間に人間としての感情のふれあいが生じ、両者が生きる喜びを分かち合うようになる。
【００１７】
また、本発明の洗髪装置を用いると、家庭、床屋、美容院等において、仰向け状態で洗髪すべき者の頭部をほぼ水平な状態に保持して、頭部以外をぬらさずに、頭部を気持ち良く洗髪することができる。
【００１８】
また、本発明の洗髪装置は、水飛散防止タイプであるので、家庭、床屋、美容院等において、少ないスペースを用いるだけで、周囲をよごすことなく、洗髪することができる。また、本発明の洗髪装置は、水飛散防止タイプであるので、シャワー圧力を十分に上げることができるので、頭部を気持ち良く洗髪することができる。
さらに、本発明の洗髪装置は、小型の携帯型であって、移動が簡単であり、製造原価が安価である。
【００１９】
【発明の実施の形態】
以下に、本発明の実施の形態を図面に基づいて説明する。
（１）第１の実施の形態
最初に、本発明の洗髪装置の第１の実施の形態を説明する。
（１・１）洗髪装置の全体構造
図１および図２を参照すると、本発明の装置、すなわち、洗髪すべき者１４２の頭部１４２ｈを洗髪するための洗髪装置１００を図示している。洗髪装置１００は、洗髪器１１０と、洗髪器１１０の中に温水を供給するための給湯装置１６０と、洗髪器１１０の中に温風および冷風を供給するための送風装置１７０と、作業済みの液体（洗剤、水を含む）を洗髪器１１０から受け入れて排水するための排水部材すなわち排水ポット１９０とを備える。
【００２０】
本明細書において、「前」とは、洗髪器１１０において、洗髪すべき者１４２の身体１４２ｂの足に向かう方向を示し、「後」とは、洗髪器１１０において、洗髪すべき者１４２の身体１４２ｂを配置していない方の方向を示し、「上」とは、洗髪器１１０において、洗髪すべき者１４２の身体１４２ｂより上へ向かう方向を示し、「下」とは、洗髪器１１０において、洗髪すべき者１４２の身体１４２ｂより下へ向かう方向を示し、「右」とは、洗髪器１１０において、洗髪すべき者１４２の右手１４２ｒのある方を示し、「左」とは、洗髪器１１０において、洗髪すべき者１４２の左手１４２ｆのある方を示す。
【００２１】
給湯用管１６２の一端が給湯装置１６０に接続される。シャワーヘッド１６４が給湯用管１６２の他端に接続される。シャワーヘッド１６４の表面には複数の噴射孔１６４ｈが設けられる。給湯装置１６０から給湯用管１６２を介してシャワーヘッド１６４の噴射孔１６４ｈより温水を洗髪すべき者１４２の頭部１４２ｈに噴射させることができるように構成される。
送風用管１７２の一端が送風装置１７０に接続される。ドライヤヘッド１７４が送風用管１７２の他端に接続される。ドライヤヘッド１７４の表面にはには複数の吹出孔１７４ｈが設けられる。送風装置１７０から送風用管１７２を介してドライヤヘッド１７４の吹出孔１７４ｈより温風および冷風を洗髪すべき者１４２の頭部１４２ｈに吹き出すことができるように構成される。
【００２２】
オプションとして、洗髪器１１０は、洗髪すべき者１４２の首部の後ろ側を受けるための背上げパッド１１８を用意するのがよい。背上げパッド１１８は合成ゴムなどの弾性変形可能な材料で構成される。背上げパッド１１８はナイロンなどの防水材料のカバーを備えるのがよい。
【００２３】
（１・２）本体ヘルメットの構造
図２〜図７を参照すると、洗髪器１１０は、本体ヘルメット１１２を含む。本体ヘルメット１１２は、前側に設けられ、洗髪すべき者１４２の頭部１４２ｈを受け入れるための前開口部１１２ｂと、後側に設けられた１つ以上の作業用孔１１２ｃ、１１２ｄと、底部に設けられた排水用の底開口部１１２ｆとを有する。前開口部１１２の形状は、洗髪すべき者１４２の身長の長手方向（以下、「縦方向」という）の長さが２５０ｍｍ程度であり、洗髪すべき者１４２の身体１４２ｂの幅方向（以下、「横方向」という）の長さが２００ｍｍ程度であるのが好ましい。一般に、洗髪すべき者１４２の頭部１４２ｈの幅は１７０ｍｍ程度であるので、前開口部１１２を上記のような寸法に構成すれば、前開口部１１２の縁部と洗髪すべき者の顔面部との間に、フレキシブルスペースを３０〜５０ｍｍ程度とることができる。この構成により、洗髪すべき者１４２の頭部１４２ｈの動きに十分に対応することができる。
【００２４】
底開口部１１２ｆの形状は円形であるのがよい。作業用孔１１２ｃ、１１２ｄの形状は円形であるのがよい。作業用孔１１２ｃ、１１２ｄの形状は楕円形であってもよいし、多角形であってもよい。図２には、２つの作業用孔１１２ｃ、１１２ｄを示しているが、作業用孔の数は、１個であってもよいし、２個であってもよいし、３個であってもよいし、４個以上であってもよい。本体ヘルメット１１２に２個の作業用孔を設ければ、洗髪中、洗髪作業者は両方の手をそれぞれ、２つの作業用孔から入れて洗髪作業を行うことができる。本体ヘルメット１１２に４個の作業用孔を設ければ、洗髪中、２人の洗髪作業者がそれぞれ両方の手を作業用孔から入れて同時に洗髪作業を行うことができる。
【００２５】
本体ヘルメット１１２の作業用孔１１２ｃ、１１２ｄを通して、洗髪作業者は本体ヘルメット１１２の中にシャワーヘッド１６４を持ち込み、洗髪すべき者１４２の頭部１４２ｈに温水を送ることができる。さらに、本体ヘルメット１１２の作業用孔１１２ｃ、１１２ｄを通して、洗髪作業者は本体ヘルメット１１２の中にドライヤヘッド１７４を持ち込み、洗髪すべき者１４２の頭部１４２ｈに温風および冷風を送ることができる。
この構成により、患者などの洗髪すべき者１４２をベッドに寝かせた状態で、すなわち、仰向け状態で洗髪すべき者の頭部をほぼ水平な状態に保持して、洗髪すべき者１４２の周囲をよごすことなく、洗髪すべき者１４２などを気持ち良く洗髪することができる。
本発明の洗髪装置を用いれば、美容院、家庭などにおいて、背もたれ部が傾斜可能な椅子に洗髪すべき者を配置した状態で、すなわち、仰向け状態で洗髪すべき者の頭部をほぼ水平な状態に保持して、洗髪すべき者を洗髪することができる。この場合においても、洗髪すべき者の周囲をよごすことなく、美容院、家庭などにおいて、洗髪すべき者を気持ち良く洗髪することができる。
【００２６】
図３および図４を参照すると、本体ヘルメット１１２に、外形形状の中心１１２Ｎと、中心１１２Ｎを通る水平面１１２Ｐとを定義する。本体ヘルメット１１２は、水平面１１２Ｐより上に位置する上半部１１２ｔと、水平面１１２Ｐより下に位置する下半部１１２ｖとを含む。本体ヘルメット１１２は、上半部１１２ｔの後側に設けられた１つの追加作業用孔１１２ｇを備える。この構成により、洗剤などを追加作業用孔１１２ｇから本体ヘルメット１１２の中に入れることができる。追加作業用孔１１２ｇには、開閉可能な蓋１１２ｊを設けるのがよい。追加作業用孔を２つ以上設けることもできる。追加作業用孔１１２ｇの内径は、例えば、５０ｍｍであるのがよい。追加作業用孔１１２ｇの中心軸線は、例えば、水平面１１２Ｐに対して４５度の角度であるのがよい。
【００２７】
図２〜図７を参照すると、本体ヘルメット１１２は、例えば、内径が４４０ｍｍであり、中心１１２Ｎを中心とした球形に形成される。本体ヘルメット１１２は、例えば、肉厚が２ｍｍの球形に形成されるのがよい。本体ヘルメット１１２は、縦方向に長軸を有する回転楕円体のような形に形成してもよいし、縦方向に長軸を有するラグビーボールのような形に形成してもよいし、中心１１２Ｎを中心とした正２０面体のような正多面体、或いは、中心１１２Ｎを中心とした多面体のような形に形成してもよい。
作業用孔１１２ｃ、１１２ｄの内径は、例えば、１４０ｍｍであるのがよい。作業用孔１１２ｃ、１１２ｄの中心軸線は、例えば、水平面１１２Ｐに対して２０度であるのがよい。作業用孔１１２ｃの中心軸線と、作業用孔１１２ｄの中心軸線との間の角度は、例えば、６０度であるのがよい。底開口部１１２ｆの内径は、例えば、８０ｍｍであるのがよい。
【００２８】
本体ヘルメット１１２は、プラスチック材料で形成されるのがよい。本体ヘルメット１１２は、例えば、ポリエチレン、ポリカーボネート、アクリル、ポリプロピレンなどの合成樹脂で製造することができる。本体ヘルメット１１２は、上半部１１２ｔと下半部１１２ｖをそれぞれ別個に成形し、その後、上半部１１２ｔと下半部１１２ｖを接着、溶着などにより接合することにより製造することができる。この構成では、上半部１１２ｔと下半部１１２ｖとは密封されるように結合される。上半部１１２ｔと下半部１１２ｖとは同一材料で形成されるのが好ましいが、上半部１１２ｔは下半部１１２ｖと異なる材料で形成することもできる。
或いは、本体ヘルメット１１２の上半部１１２ｔと下半部１１２ｖとは、互いに嵌め込み可能なように構成され、上半部１１２ｔの嵌め込み部と下半部１１２ｖの嵌め込み部を嵌め込んだとき、上半部１１２ｔと下半部１１２ｖの嵌め込み部分は密封できるように構成することもできる。この構成により、本体ヘルメット１１２を容易に成形加工により製作することができる。
【００２９】
本体ヘルメット１１２を上半部１１２ｔと下半部１１２ｖに分けて別個に成形する構造の場合、前開口部１１２ｂの一部分と、作業用孔１１２ｃ、１１２ｄと、追加作業用孔１１２ｇとは、上半部１１２ｔに設けられ、前開口部１１２ｂの他の一部分と、底開口部１１２ｆとは、下半部１１２ｖに設けられる。
本体ヘルメット１１２の上半部１１２ｔが、透明なプラスチック材料又は半透明なプラスチック材料で作られるのが好ましい。すなわち、本体ヘルメット１１２は、少なくともその上半部１１２ｔが、透明なプラスチック材料又は半透明なプラスチック材料で作られるのが好ましい。この構成により、洗髪中、洗髪作業者は洗髪すべき者の頭部と洗髪作業者の両方の手を見ながら、頭部を洗髪することができる。本体ヘルメット１１２の下半部１１２ｖを、透明なプラスチック材料又は半透明なプラスチック材料で作ることもできる。ここで、半透明な材料とは、材料に照射した光線のうちの、少なくとも１０％が透過するような材料を示す。
【００３０】
或いは、本体ヘルメット１１２は、アルミニウム、チタンなどの金属又はそれらの金属の合金で製造することもできる。或いは、本体ヘルメット１１２は、防水加工を施した板紙で製造することもできるし、プラスチックフィルムを積層した厚紙などで製造することもできる。この構成においても、本体ヘルメット１１２の上半部１１２ｔが、透明なプラスチック材料又は半透明なプラスチック材料で作られるのが好ましい。
【００３１】
（１・３）頭部受座の構造
図２、図３、図６、図８および図９を参照すると、洗髪器１１０は、本体ヘルメット１１２の内部に配置され、洗髪すべき者１４２の頭部１４２ｈを支持するための、１つ以上の頭部受座１２０ｂ、１２０ｃを備える。この構成により、洗髪すべき者１４２の頭部１４２ｈを確実に下方から支持することができる。図２、図３および図６には、２つの頭部受座１２０ｂ、１２０ｃを示しているが、頭部受座の数は、１個であってもよいし、２個であってもよいし、３個であってもよいし、４個以上であってもよい。頭部受座１２０ｂ、１２０ｃは、シリコンゴムなどの弾性変形可能な材料で形成するのがよい。頭部受座１２０ｂ、１２０ｃのサイズは、例えば、断面が２０ｍｍ×３０ｍｍの長方形であり、長さが１２０ｍｍである。図８を参照すると、頭部受座１２０ｂ、１２０ｃの内側の端部には、洗髪すべき者の頭部の形状に合わせるための斜面部１２０ｍが設けられ、頭部受座１２０ｂ、１２０ｃの外側の端部には突起部１２０ｊが設けられる。
本体ヘルメット１１２の内側には、受座取り付け部１２０ｇが接着される。頭部受座１２０ｂ、１２０ｃの突起部１２０ｊを受座取り付け部１２０ｇに嵌め込むことにより、頭部受座１２０ｂ、１２０ｃを本体ヘルメット１１２の内側に固定することができる。
【００３２】
（１・４）頭部シール部材の構造
図１０〜図１２を参照すると、洗髪器１１０において、本体ヘルメット１１２の前開口部１１２ｂには、洗髪すべき者１４２の頭部１４２ｈを密封するための、伸縮可能な頭部シール部材１２４が設けられる。頭部シール部材１２４は、本体ヘルメット１１２の前開口部１１２ｂに固定するためのリング状の面ファスナＡ１２４ｄと、防水ビニールで形成された接続部材１２４ｆと、洗髪すべき者１４２の頭部１４２ｈに取り付けるためのリング状のヘアーバンド１２４ｈとを含む。接続部材１２４ｆは、面ファスナＡ１２４ｄとヘアーバンド１２４ｈとの間に配置される。接続部材１２４ｆは、伸縮可能なように、防水性があるゴム又は軟質プラスチックで形成するのがよい。例えば、面ファスナＡ１２４ｄは直径が３２０ｍｍで、幅が２０ｍｍになるように形成される。例えば、ヘアーバンド１２４ｈは直径が１２０ｍｍで、幅が１５ｍｍになるように形成される。例えば、接続部分１２４ｆは幅が１００ｍｍになるように形成される。
【００３３】
本体ヘルメット１１２の前開口部１１２ｂの縁部付近には、リング状の面ファスナＢ１１２ｍが固着される。面ファスナＡと面ファスナＢは、互いに密着して一体になるように形成されている。したがって、頭部シール部材１２４の面ファスナＡ１２４ｄを本体ヘルメット１１２の面ファスナＢ１１２ｍに対して固定することができる。この構成により、洗髪中、洗髪すべき者の顔などがぬれるおそれをなくすことができる。
図１３を参照すると、面ファスナＢ１１２ｍは本体ヘルメット１１２の前開口部１１２ｂの縁部付近で、本体ヘルメット１１２の内面に固着することができる。また、図１４を参照すると、面ファスナＢ１１２ｍは本体ヘルメット１１２の前開口部１１２ｂの縁部付近で、本体ヘルメット１１２の外面に固着することもできる。
【００３４】
（１・５）作業用孔シール部材の構造
図１５を参照すると、本体ヘルメット１１２の作業用孔１１２ｃ、１１２ｄには、作業用孔１１２ｃ、１１２ｄの一部又は全部を密封するための、弾性変形可能な作業用孔シール部材１３０が設けられる。作業用孔シール部材１３０は、本体ヘルメット１１２の内側に取り付けることもできるし、本体ヘルメット１１２の内側に固定することもできる。また、図１５に一点鎖線で示すように、作業用孔シール部材１３０は、本体ヘルメット１１２の作業用孔１１２ｃ、１１２ｄの外側に取り付けることもできる。この構成では、作業用孔シール部材１３０は、本体ヘルメット１１２から容易に取り外すことができる。
図１６を参照すると、作業用孔シール部材１３０は、中心穴１３０ｂと、外形部１３０ｃとを有するリング状の形状の部材である。作業用孔シール部材１３０の中心穴１３０ｂから作業用孔シール部材１３０の外形部１３０ｃに向かう、放射状の複数のスリット１３０ｄが設けられる。例えば、作業用孔シール部材１３０の中心穴１３０ｂの内径は６０ｍｍであり、作業用孔シール部材１３０の外径は１８０ｍｍであり、スリット１３０ｄの外端部の直径は１４０ｍｍであるのがよい。作業用孔シール部材１３０の厚さは、例えば、１ｍｍ〜５ｍｍであるのがよい。この構成により、洗髪中、洗髪作業者の腕の部分から温水が漏れることがないので、洗髪作業者の衣服などがぬれるおそれをなくすことができる。或いは、作業用孔シール部材１３０の中心穴１３０ｂの内径を０ｍｍとしてもよい。この構成により、洗髪中、洗髪作業者が一方の作業用孔に腕を入れない場合でも、その作業用孔から温水が漏れることがないようにすることができる。
【００３５】
作業用孔シール部材１３０の外形部１３０ｃは、本体ヘルメット１１２の作業用孔１１２ｃ、１１２ｄの縁部に接着される。作業用孔シール部材１３０は、硬質ゴム、軟質ゴム、硬質プラスチック、軟質プラスチックで形成されるのがよい。例えば、本体ヘルメット１１２は、ネオプレン、シリコンゴム、ポリ塩化ビニール、ポリエチレン、ポリプロピレン、ポリウレタン、テフロン（登録商標）などで製造することができる。
【００３６】
（１・６）シャワーヘッド用ホルダ
次に、本発明の洗髪装置の第１の実施の形態に用いられるシャワーヘッド用ホルダの構造を説明する。
図１７、図１８を参照すると、シャワーヘッド用ホルダ１３４を本体ヘルメット１１２の外側に取り付けることができる。シャワーヘッド用ホルダ１３４は、シャワーヘッドを保持するための保持部１３４ｂと、シャワーヘッド用ホルダ１３４を取り付けるための固定部１３４ｃとを含む。固定部１３４ｃは吸盤を備える。固定部１３４ｃの吸盤により、シャワーヘッド用ホルダ１３４を本体ヘルメット１１２の外側に取り付けることができる。固定部１３４ｃはプラスチックで形成されるのがよい。
【００３７】
（１・７）給湯装置、送風装置
次に、本発明の洗髪装置の第１の実施の形態に用いられる送風装置、給湯装置の構造を説明する。
図１９を参照すると、洗髪器収納ボックス１６８の中に、給湯装置１６０と、送風装置１７０が設けられる。さらに、洗髪器収納ボックス１６８の中に、シャワーヘッド１６４および給湯用管１６２と、ドライヤヘッド１７４および送風用管１７２が収容される。洗髪器収納ボックス１６８は、例えば、容量が７０リットルの角型レンジ容器である。
洗髪器収納ボックス１６８は、例えば、ＰＡＩ樹脂で形成される。洗髪器収納ボックス１６８の底部には、移動用の複数の車１６８ｇを設けるのがよい。この構成により、洗髪器収納ボックス１６８を容易に移動させることができる。
【００３８】
給湯装置１６０は、水タンク、水加熱器、水中ポンプ（いずれも図示せず）とを備える。水加熱器を作動させて、水タンク内の水を所定の温度に加熱し、水中ポンプを作動させて、加熱した温水を給湯用管１６２の中に送り込むように構成される。給湯装置１６０は、電源を備えてもよいし、給湯装置１６０に接続されたコンセントを用いて外部の電源から電力を受け入れてもよい。給湯装置１６０は、所定量の水タンク内に配置された水中ポンプを備えるように構成される。水中ポンプを用いることにより、０．２ｋｇ／ｃｍ３前後のシャワー圧力を発生するように水タンク内の温水を給湯用管１６２の中に供給することができる。
給湯装置１６０は、水タンクを備えてもよいし、給湯装置１６０に接続された管路を用いて外部の水道又は給水装置から水を受け入れてもよい。或いは、給湯装置１６０は、保温可能に構成された湯タンクと、給湯ポンプ（いずれも図示せず）とを備えるように構成してもよい。この構成では、予め別の湯沸し器により沸かした適温の湯を湯タンクに入れるように構成することができる。
送風装置１７０は、ヒータとファン（いずれも図示せず）とを備える。温風を送風するときは、ヒータとファンとを同時に作動させて、送風用管１７２の中に温風を送り込むように構成される。冷風を送風するときは、ファンだけを作動させて、送風用管１７２の中に冷風を送り込むように構成される。送風装置１７０は、電源を備えてもよいし、送風装置１７０に接続されたコンセントを用いて外部の電源から電力を受け入れてもよい。
【００３９】
（１・８）シャワーヘッド
次に、本発明の洗髪装置の第１の実施の形態に用いられるシャワーヘッドの構造を説明する。
図２０、図２１を参照すると、シャワーヘッド１６４は、円盤状の噴射頭部１６４ｃと、噴射頭部１６４ｃの後面の中央部に設けられた直線パイプ部１６４ｄと、直線パイプ部１６４ｄの後端部に設けられた支持用の円板部１６４ｆと、円板部１６４の後側に設けられた曲線パイプ部１６４ｋとを有する。
本明細書のシャワーヘッド１６４において、「前」とは、液体が流れる下流側の方向を示し、「後」とは、液体が流れる上流側の方向を示す。
曲線パイプ部１６４ｋの後端部は、給湯用管１６２の一端に接続される。シャワーヘッド１６４の噴射頭部１６４ｃの前面には複数の噴射孔１６４ｈが設けられる。給湯装置１６０から給湯用管１６２を介して供給される温水は、曲線パイプ部１６４ｋの中を通り、円板部１６４ｆの中心穴の中を通り、直線パイプ部１６４ｄの中を通り、噴射頭部１６４ｃの噴射孔１６４ｈから噴射されるように構成される。
【００４０】
直線パイプ部１６４ｄは、噴射頭部１６４ｃの後面の中央部に設けられるのが好ましい。直線パイプ部１６４ｄは、噴射頭部１６４ｃの後面の中央部から偏心した位置に設けることもできる。直線パイプ部１６４ｄの中心軸線は、噴射頭部１６４ｃの後面に対して直角に設けられるのが好ましい。直線パイプ部１６４ｄの中心軸線は、噴射頭部１６４ｃの後面に対して１度〜６０度の角度をなすように設ることもできる。
円板部１６４ｆの前面は、噴射頭部１６４ｃの後面に対して平行に設けられるのが好ましい。円板部１６４ｆの前面は、噴射頭部１６４ｃの後面に対して１度〜３０度の角度をなすように形成することもできる。
直線パイプ部１６４ｄと円板部１６４ｆを設けることにより、洗髪作業者はシャワーヘッド１６４をしっかりと保持することができる。
【００４１】
（１・９）ドライヤヘッド
次に、本発明の洗髪装置の第１の実施の形態に用いられるドライヤヘッドの構造を説明する。
図２２を参照すると、ドライヤヘッド１７４は、円盤状の吹出頭部１７４ｃと、吹出頭部１７４ｃの後面の中央部に設けられた直線パイプ部１７４ｄと、直線パイプ部１７４ｄの後端部に設けられた支持用の円板部１７４ｆと、円板部１７４の後側に設けられたが曲線パイプ部１７４ｋとを有する。
本明細書のドライヤヘッド１７４において、「前」とは、液体が流れる下流側の方向を示し、「後」とは、液体が流れる上流側の方向を示す。
曲線パイプ部１７４ｋの後端部は、送風用管１７２の一端に接続される。ドライヤヘッド１７４の吹出頭部１７４ｃの前面には複数の吹出孔１７４ｈが設けられる。送風装置１７０から送風用管１７２を介して供給される温風および冷風は、曲線パイプ部１７４ｋの中を通り、円板部１７４ｆの中心穴の中を通り、直線パイプ部１７４ｄの中を通り、吹出頭部１７４ｃの吹出孔１７４ｈから吹き出されるように構成される。この構成により、患者などをベッドに寝かせた状態で、周囲をよごすことなく患者などを気持ち良く洗髪し、洗髪した髪を短時間で効果的に乾かすことができる。
【００４２】
直線パイプ部１７４ｄは、吹出頭部１７４ｃの後面の中央部に設けられるのが好ましい。直線パイプ部１７４ｄは、吹出頭部１７４ｃの後面の中央部から偏心した位置に設けることもできる。直線パイプ部１７４ｄの中心軸線は、吹出頭部１７４ｃの後面に対して直角に設けられるのが好ましい。直線パイプ部１７４ｄの中心軸線は、吹出頭部１７４ｃの後面に対して１度〜６０度の角度をなすように形成することもできる。
円板部１７４ｆの表面は、吹出頭部１７４ｃの後面に対して平行に設けられるのが好ましい。円板部１７４ｆの前面は、吹出頭部１７４ｃの後面に対して１度〜３０度の角度をなすように設けることもできる。直線パイプ部１７４ｄと円板部１７４ｆを設けることにより、洗髪作業者はドライヤヘッド１７４をしっかりと保持することができる。
【００４３】
（１・１０）排水ポットの構造
図２、図２３、図２４を参照すると、洗髪装置１００は、底開口部１１２ｆの底縁１１２ｋに着脱可能に設けられた排水部材すなわち排水ポット１９０を更に備える。例えば、排水ポット１９０は、底開口部１１２ｆの底縁１１２ｋの外周部に嵌め込み可能なように構成される。また、排水ポット１９０は、底開口部１１２ｆの底縁１１２ｋの内周部に嵌め込み可能なように構成することもできる。
排水ポンプ１９２が排水ポット１９０に取り付けられる。排水ポンプ１９２に排水ポット１９０を取り付ける部分には、ゴムパッキン１９３が設けられる。排水ポンプ１９２には、排水用管１８２の一端が接続される。排水装置１８０は排水用管１８２の他端に接続される。作業済みの液体などは、排水ポンプ１９２の動作により排水ポット１９０から排水用管１８２を介して排水装置１８０に送ることができるように構成される。排水ポンプ１９２は、例えば、家庭用のバスポンプにより構成することができる。
排水装置１８０は、作業済みの液体を受け入れて、固体と流体を分離し、それぞれ所定の容器又は管路に排出するように構成される。この構成により、洗髪中に、作業済みの液体（洗剤、水を含む）、抜け落ちた髪の毛、髪の毛に付いていたごみなどを洗髪器１１０から確実に排水することができる。排水ポット１９０は、プラスチック材料で形成されるのがよい。排水ポット１９０は、例えば、ポリエチレン、ポリカーボネート、アクリル、ポリプロピレンなどの合成樹脂で製造することができる。
【００４４】
図２を参照すると、本体ヘルメット１１２の底開口部１１２ｆには、筒状の底縁１１２ｋが設けられる。排水ポット１９０は、円筒形の嵌め込み筒部１９０ｙを含む。したがって、排水ポット１９０の上開口部１９０ｋは円形に形成される。底縁１１２ｋの外周部には、リング状の突起１１２ｘが形成される。例えば、突起１１２ｘの断面形状は、半径が１ｍｍの半円形である。突起１１２ｘの断面形状は、台形であってもよいし、楕円形の半分であってもよい。嵌め込み筒部１９０ｙの内周部には、帯状の溝１９０ｘが形成される。例えば、溝１９０ｘの断面形状は、半径が１ｍｍの半円形である。溝１９０ｘの断面形状は、台形であってもよいし、楕円形の半分であってもよい。溝１９０ｘの位置、断面形状は、突起１１２ｘの位置、断面形状に合うように形成される。この構成により、排水ポット１９０は、本体ヘルメット１１２の底開口部１１２ｆの中心軸線に対して３６０度回転することができる。例えば、溝１９０ｘの底部全周囲の直径は、２４９．５ｍｍ〜２５０ｍｍに形成され、突起１１２ｘの頂部全周囲の直径は、２５０ｍｍ〜２５０．５ｍｍに形成される。すなわち、この構成では、突起１１２ｘと溝１９０ｘは、締り嵌めになるように構成される。更に、防水性を高めるために、突起１１２ｘの上側及び／又は下側に、それぞれ、１個以上のＯリングタイプの防水パッキンを設けてもよい。この構成では、突起１１２ｘと溝１９０ｘを隙間嵌めにすることもできるし、又は、突起１１２ｘと溝１９０ｘを中間嵌めにすることもできる。
更に、防水性を高めるために、突起１１２ｘの上側及び／又は下側に、それぞれ、１個以上のＯリングタイプの防水パッキンを設けてもよい。この構成では、本体ヘルメット１１２と排水ポット１９０の間の嵌め合い部分の防水性を高めることができる。
【００４５】
本体ヘルメット１１２の底開口部１１２ｆには、底部フィルタ１９４を設けることができる。底部フィルタ１９４を設けることにより、洗髪中に、抜け落ちた髪の毛、髪の毛に付いていたごみなどを底部フィルタ１９４に溜めることができる。底部フィルタ１９４の直径は５０ｍｍ〜７５ｍｍであるのがよい。この構成により、底部フィルタ１９４の目詰まりの発生を防ぎ、排水ポンプ１９２による排水動作が確実に行われるようにすることができる。
排水ポンプ１９２は排水ポット１９０のポンプ用開口部１９０ｃの中に配置することができるように構成される。排水ポンプ１９２を作動させることにより、排水ポット１９０の中に溜まる作業済みの液体（洗剤、水を含む）を排水用管１８２を介して排水装置１８０に強制的に送ることができる。
【００４６】
（１・１１）第１の実施の形態の作用
図１を参照すると、ベッド１４０の上に洗髪すべき者１４２が仰向けに状態で横たわっている。洗髪装置１００を用いて洗髪すべき者１４２を洗髪するとき、洗髪すべき者１４２の頭部１４２ｈを約２００ｍｍ上げる必要がある。したがって、洗髪すべき者１４２の首部の後ろ側に背上げパッド１１８を置く。
図１、図８、図９及び図１２を参照すると、洗髪すべき者１４２の頭部１４２ｈを本体ヘルメット１１２の前開口部１１２ｂに配置するために、本体ヘルメット１１２の内面に固着されている面ファスナＢ１１２ｍに頭部シール部材１２４の面ファスナＡ１２４ｄを固定する。次に、ヘアーバンド１２４ｈを大きく広げて、洗髪すべき者１４２の頭部１４２ｈにヘアーバンド１２４ｈを固定し、洗髪すべき者１４２の頭部１４２ｈを本体ヘルメット１１２の内部に配置された頭部受座１２０ｂ、１２０ｃの上に案内する。
【００４７】
次に、洗髪作業者はシャワーヘッド１６４の直線パイプ部１６４ｄを指の間にはさんで、シャワーヘッド１６４を作業用孔１１２ｃ又は１１２ｄから本体ヘルメット１１２の中に入れる。この状態で、給湯装置１６０から給湯用管１６２を介して温水を供給し、噴射頭部１６４ｃの噴射孔１６４ｈから温水を洗髪すべき者１４２の頭部１４２ｈに噴射させる。洗髪作業者は、片手でシャワーヘッド１６４を持ちながら、その手を作業用孔１１２ｃ又は１１２ｄのうちの一方から本体ヘルメット１１２の中にいれ、もう一方の手を作業用孔１１２ｃ又は１１２ｄのうちの他方から本体ヘルメット１１２の中にいれて、効率良く洗髪作業を行うことができる。必要に応じて、洗髪作業者は、洗剤などを追加作業用孔１１２ｇから本体ヘルメット１１２の中に入れることができる。或いは、洗剤は作業用孔１１２ｃ又は１１２ｄのうちの一方から本体ヘルメット１１２の中に入れることもできる。或いは、特殊な精製水を用いることにより、洗剤を用いることなく洗髪作業を行うこともできる。更に、軽真空を洗髪装置に導入することにより、散発作業を行うこともできる。
本体ヘルメット１１２の底開口部１１２ｆに設けられた底部フィルタ１９４は、洗髪中、抜け落ちた髪の毛、髪の毛に付いていたごみなどを溜める。排水ポンプ１９２により、排水動作が行われ、排水ポット１９０の中に溜まる作業済みの液体（洗剤、水を含む）を排水用管１８２を介して排水装置１８０に強制的に送る。
【００４８】
次に、洗髪作業者はドライヤヘッド１７４の直線パイプ部１７４ｄを指の間にはさんで、ドライヤヘッド１７４を作業用孔１１２ｃ又は１１２ｄから本体ヘルメット１１２の中に入れる。この状態で、送風装置１７０から送風用管１７２を介して温風および冷風を供給し、吹出頭部１７４ｃの吹出孔１７４ｈから温風および冷風を洗髪すべき者１４２の頭部１４２ｈに吹き出させる。洗髪作業者は、片手でドライヤヘッド１７４を持ちながら、その手を作業用孔１１２ｃ又は１１２ｄのうちの一方から本体ヘルメット１１２の中にいれ、もう一方の手を作業用孔１１２ｃ又は１１２ｄのうちの他方から本体ヘルメット１１２の中にいれて、効率良く髪を乾かす作業を行うことができる。必要に応じて、洗髪作業者は、消毒薬剤、整髪剤などを追加作業用孔１１２ｇから本体ヘルメット１１２の中に入れることができる。或いは、消毒薬剤は作業用孔１１２ｃ又は１１２ｄのうちの一方から本体ヘルメット１１２の中に入れることもできる。
【００４９】
次に、洗髪作業者は本体ヘルメット１１２および頭部シール部材１２４を洗髪すべき者１４２の頭部１４２ｈから外す。次に、洗髪作業者は本体ヘルメット１１２および頭部シール部材１２４を市販の殺菌剤で洗浄する。
或いは、洗髪が終わると、洗髪作業者は本体ヘルメット１１２および頭部シール部材１２４を洗髪すべき者１４２の頭部１４２ｈから外す。次に、洗髪作業者はヘアードライヤを用いて洗髪すべき者１４２の髪を乾燥させる。次に、洗髪作業者は本体ヘルメット１１２および頭部シール部材１２４を市販の殺菌剤で洗浄する。
【００５０】
以上説明したように、本発明の洗髪装置１００では、洗髪作業および髪を乾かす作業は、全て本体ヘルメット１１２の中で行われる。したがって、患者などの洗髪すべき者１４２をベッドに寝かせた状態で、或いは、美容院などで洗髪すべき者を椅子に配置して仰向きにした状態で、周囲をよごすことなく洗髪すべき者を気持ち良く洗髪することができる。また、本発明の洗髪装置１００を用いることにより、仰向け状態で洗髪すべき者の頭部をほぼ水平な状態に保持して、洗髪すべき者の頭部以外をぬらすことなく洗髪することができる。
【００５１】
さらに、本発明の洗髪装置１００のシャワーヘッド１６４は、洗髪作業者の手の平の内側に入る大きさに構成されるので、洗髪作業者はシャワーヘッド１６４をしっかりと保持することができる。したがって、洗髪作業者は洗髪すべき者１４２の頭部１４２ｈに対して常に直角に温水を噴射させることができる。このため、洗髪すべき者１４２は１００％のシャワー圧を感じることができ、気持ちの良い洗髪感を味わうことができる。
さらに、洗髪すべき者１４２の頭部１４２ｈと頭部受座１２０ｂ、１２０ｃとの間を洗うとき、頭部１４２ｈを２〜３ｃｍ持ち上げる。このとき、頭部受座１２０ｂ、１２０ｃは、シリコンゴムなどの弾性変形可能な材料で形成されているので、頭部受座１２０ｂ、１２０ｃを軽く倒して洗髪すべき者１４２の頭部１４２ｈを洗うことができる。
【００５２】
（２）第２の実施の形態
次に、本発明の洗髪装置の第２の実施の形態の構造および作用を説明する。
以下の説明は、本発明の洗髪装置の第２の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００５３】
図２５および図２６を参照すると、本発明の洗髪装置の第２の実施形態において、本発明の洗髪器２１０の本体ヘルメット２１２は、中心２１２Ｎを含む水平面２１２Ｐより上に位置する上半部２１２ｔと、水平面２１２Ｐより下に位置する下半部２１２ｖとを含む。本体ヘルメット２１２は、上半部２１２ｔの後側に設けられた１つの作業用孔２１２ｃを備える。作業用孔２１２ｃは、水平方向に延びる長孔状に形成されるのが好ましい。作業用孔２１２ｃは、水平方向に延びる長軸を有し、長軸方向の長さが３５０ｍｍであり、短軸方向の長さが１４０ｍｍである楕円形状に形成されるのが好ましい。この構成では、追加作業用孔を設ける必要はない。この構成により、洗髪中、洗髪作業者は両方の手をそれぞれ、１つの作業用孔２１２ｃから入れて洗髪することができる。
【００５４】
図２６に一点鎖線で示すように、作業用孔２１２ｃには、作業用孔シール部材１３０’を設けることができる。作業用孔シール部材１３０’は、２つの穴と、外形部とを有する楕円形状の部材である。作業用孔シール部材１３０’のそれぞれ穴から作業用孔シール部材１３０’の外形部に向かう、放射状の複数のスリットが設けられる。作業用孔シール部材１３０’の２つの穴の形状と、放射状の複数のスリットの形状は、それぞれ、図１６を参照して前述した作業用孔シール部材１３０の形状と同様である、。例えば、作業用孔シール部材１３０’の穴の内径は６０ｍｍであり、作業用孔シール部材１３０’の長軸方向の長さが３５０ｍｍであり、作業用孔シール部材１３０’の短軸方向の長さが１４０ｍｍである。作業用孔シール部材の厚さは、例えば、１ｍｍ〜５ｍｍであるのがよい。この構成により、洗髪中、洗髪作業者の腕の部分から温水が漏れることがないので、洗髪作業者の衣服などがぬれるおそれをなくすことができる。或いは、作業用孔シール部材１３０’の穴の内径を０ｍｍとしてもよい。この構成により、洗髪中、洗髪作業者が一方の作業用孔に腕を入れない場合でも、その作業用孔から温水が漏れることがないようにすることができる。
【００５５】
排水パイプ部２５０が、本体ヘルメット２１２の下半部２１２ｖの底部に水平方向に延びるように形成される。排水パイプ部２５０は、接続管（図示せず）により排水装置１８０に連結される。排水装置１８０により、接続管、排水パイプ部２５０を介して本体ヘルメット２１２の下半部２１２ｖの底部の内部を吸引して、排気、排水することができるように構成する。この構成により、排水ポットを設ける必要をなくすことができる。
【００５６】
（３）第３の実施の形態
次に、本発明の洗髪装置の第３の実施の形態の構造および作用を説明する。
以下の説明は、本発明の洗髪装置の第３の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００５７】
図２７および図２８を参照すると、本発明の洗髪装置の第３の実施形態において、洗髪器３１０では、本体ヘルメット３１２の上半部３１２ｔは、折りたたみ可能なように構成される。すなわち、洗髪器３１０の本体ヘルメット３１２は、中心３１２Ｎを含む水平面３１２Ｐより上に位置する上半部３１２ｔと、水平面３１２Ｐより下に位置する下半部３１２ｖとを含む。上半部３１２ｔは、前の方に向いた平面部３１２ｍと、後ろの方に向いたアコーデオンのように折りたたむことができる折りたたみ部３１２ｎとを備える。本体ヘルメット３１２の上半部３１２ｔを折りたたんだ状態を、図２７に仮想線で示す。上半部３１２ｔは、球の１／４〜１／８の形状を有するように構成される。上半部３１２ｔは、複数の半円形にワイヤ部材３１２ｗと、ワイヤ部材３１２ｗに固定されたシート部材３１２ｓとを含む。ワイヤ部材３１２ｗはプラスチック又は金属で構成される。シート部材３１２ｓはナイロンなどの合成樹脂で構成される。
本体ヘルメット３１２の折りたたみ部３１２ｎは、２つの作業用孔３１２ｃ、３１２ｄを備える。この構成では、追加作業用孔を設けてもよい。この構成により、小型、軽量な洗髪器を製作することができる。作業用孔３１２ｃ、３１２ｄには、それぞれ作業用孔シール部材３３０を設けることができる。
【００５８】
排水パイプ部３５０が、本体ヘルメット３１２の下半部３１２ｖの底部に水平方向に延びるように形成される。排水パイプ部３５０は、接続管（図示せず）により排水装置１８０に連結される。排水装置１８０により、接続管、排水パイプ部３５０を介して本体ヘルメット３１２の下半部３１２ｖの底部の内部を吸引して、排気、排水することができるように構成する。この構成により、排水ポットを設ける必要をなくすことができる。
【００５９】
（４）第４の実施の形態
次に、本発明の洗髪装置の第４の実施の形態を説明する。
以下の説明は、本発明の洗髪装置の第４の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００６０】
図２９および図３０を参照すると、本発明の洗髪装置の第４の実施形態において、洗髪器４１０では、本体ヘルメット４１２の上半部４１２ｔと下半部４１２ｖとは、互いに嵌め込み可能なように構成され、上半部４１２ｔの嵌め込み部と下半部４１２ｖの嵌め込み部を嵌め込んだとき、上半部４１２ｔと下半部４１２ｖの嵌め込み部分は密封できるように構成することもできる。この構成により、洗髪器を容易に成形加工により製作することができる。すなわち、洗髪器４１０の本体ヘルメット４１２は、中心４１２Ｎを含む水平面４１２Ｐより上に位置する上半部４１２ｔと、水平面４１２Ｐより下に位置する下半部４１２ｖとを含む。上半部４１２ｔの下部の開口部は、下半部４１２ｖの上部の開口部に対して差し込み可能なように構成される。
本体ヘルメット４１２の上半部４１２ｔは、２つの作業用孔４１２ｃ、４１２ｄと、追加作業用孔４１２ｊとを備える。作業用孔４１２ｃ、４１２ｄには、それぞれ作業用孔シール部材を設けることができる。
【００６１】
（５）第５の実施の形態
次に、本発明の洗髪装置の第５の実施の形態の構造および作用を説明する。
以下の説明は、本発明の洗髪装置の第５の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００６２】
図３１および図３２を参照すると、本発明の洗髪装置の第５の実施の形態において、洗髪器５１０では、本体ヘルメット５１２の上半部５１２ｔは、下半部５１２ｖに対してヒンジ５１２ｈで連結され、上半部５１２ｔを下半部５１２ｖに対して作業可能な位置に配置したとき、上半部５１２ｔと下半部５１２ｖの接触部分は密封できるように構成することもできる。この構成により、洗髪器を容易に成形加工により製作することができる。本体ヘルメット５１２の上半部５１２ｔを開いた状態を、図３１に仮想線で示す。
すなわち、洗髪器５１０の本体ヘルメット５１２は、中心５１２Ｎを含む水平面５１２Ｐより上に位置する上半部５１２ｔと、水平面５１２Ｐより下に位置する下半部５１２ｖとを含む。本体ヘルメット５１２の上半部５１２ｔの水平面５１２Ｐに投影した形状は長方形である。本体ヘルメット５１２の下半部５１２ｖの水平面５１２Ｐに投影した形状も長方形である。本体ヘルメット５１２は、上半部１１２ｔの後側に設けられた２つの作業用孔５１２ｃ、５１２ｄを備える。この構成では、追加作業用孔を設けてもよい。作業用孔５１２ｃには、作業用孔シール部材５３０を設けることができる。
【００６３】
排水パイプ部５５０が、本体ヘルメット５１２の下半部５１２ｖの底部に水平方向に延びるように形成される。排水パイプ部５５０は、接続管（図示せず）により排水装置１８０に連結される。排水装置１８０により、接続管、排水パイプ部５５０を介して本体ヘルメット５１２の下半部５１２ｖの底部の内部を吸引して、排気、排水することができるように構成する。この構成により、排水ポットを設ける必要をなくすことができる。
【００６４】
（６）第６の実施の形態
次に、本発明の洗髪装置の第６の実施の形態の構造および作用を説明する。
以下の説明は、本発明の洗髪装置の第６の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００６５】
図３３および図３４を参照すると、本発明の洗髪装置の第６の実施の形態において、特に家庭用に適している洗髪装置６００は、洗髪器６１０と、洗髪器６１０の中に温水を供給し、作業済みの液体（洗剤、水を含む）を洗髪器６１０から排水するための給排水ユニット６５０と、作業済みの液体（洗剤、水を含む）を洗髪器６１０から受け入れて給排水ユニット６５０に排水するための排水ポット６９０とを備える。給湯用管６６２の一端が給排水ユニット６５０内の給湯部に接続される。シャワーヘッド６６４が給湯用管６６２の他端に接続される。
給排水ユニット６５０の底部には、移動用の複数の車６５０ｇを設けるのがよい。この構成により、給排水ユニット６５０を容易に移動させることができる。洗髪器６１０は、本体ヘルメット６１２を含む。本体ヘルメット６１２は、前側に設けられ、洗髪すべき者１４２の頭部１４２ｈを受け入れるための前開口部６１２ｂと、後側に設けられた２つの作業用孔６１２ｃ、６１２ｄと、底部に設けられた排水用の底開口部６１２ｆとを有する。底開口部６１２ｆの形状は円形であるのがよい。作業用孔６１２ｃ、６１２ｄの形状は円形であるのがよい。
【００６６】
排水ポット６９０は、洗髪器６１０の底開口部６１２ｆに嵌め込み可能なように構成される。排水ポンプ６９２が排水ポット６９０に取り付けられる。排水ポンプ６９２に排水ポット６９０を取り付ける部分には、ゴムパッキンが設けられる。排水ポンプ６９２には、排水用管６８２の一端が接続される。給排水ユニット６５０の排水部は排水用管６８２の他端に接続される。作業済みの液体などは、排水ポンプ６９２の動作により排水ポット６９０から排水用管６８２を介して給排水ユニット６５０の排水部に送ることができる。給排水ユニット６５０の排水部は、作業済みの液体を受け入れて、固体と流体を分離し、それぞれ所定の容器又は管路に排出するように構成される。
【００６７】
図３３、図３５を参照すると、シャワーヘッド６６４は、円盤状の噴射頭部６６４ｃと、噴射頭部の後面の中央部に設けられた直線パイプ部と、直線パイプ部の後端部に設けられた支持用の円板部と、円板部の後側に設けられた曲線パイプ部とを有する。曲線パイプ部の後端部は、給湯用管６６２の一端に接続される。シャワーヘッド６６４の噴射頭部６６４ｃの表面には複数の噴射孔６６４ｈが設けられる。介護者、又は、洗髪すべき者１４２の家族などの洗髪作業者６４２は、シャワーヘッド６６４の直線パイプ部を手で保持して、洗髪作業を行うことができる。
特に、ユーザが洗髪装置６００を購入することにより、一般家庭で使用するのが効果的である。
以上説明したように、本発明の洗髪装置６００では、洗髪作業および髪を乾かす作業は、全て本体ヘルメット６１２の中で行われる。したがって、患者などの洗髪すべき者１４２を寝かせた状態で、洗髪すべき者の頭部をほぼ水平な状態に保持して、洗髪すべき者の頭部以外をぬらすことなく洗髪することができる。
【００６８】
（７）第７の実施の形態
次に、本発明の洗髪装置の第７の実施の形態の構造および作用を説明する。
以下の説明は、本発明の洗髪装置の第７の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
【００６９】
図３６および図３７を参照すると、本発明の洗髪装置の第７の実施の形態において、特に病院、介護施設、美容院、床屋、家庭などで使用するのに適している洗髪装置７００は、洗髪器７１０と、洗髪器７１０の中に温水を供給し、作業済みの液体（洗剤、水を含む）を洗髪器７１０から排水するための給排水ユニット７５０と、洗髪器７１０と給排水ユニット７５０との間に配置された洗髪器支持部材７７２とを備える。洗髪器支持部材７７２は伸縮式の構造に構成されるので、洗髪器７１０の高さを調整することができる。給排水ユニット７５０の底部には、移動用の複数の車７５０ｇを設けるのがよい。
洗髪器７１０は、本体ヘルメット７１２を含む。本体ヘルメット７１２は、前側に設けられ、洗髪すべき者１４２の頭部１４２ｈを受け入れるための前開口部７１２ｂと、上部後側に設けられた１つの作業用孔７１２ｃと、底部に設けられた排水用の底開口部７１２ｆとを有する。底開口部７１２ｆの形状は円形であるのがよい。作業用孔７１２ｃは、水平方向に延びる長孔状に形成される。作業用孔７１２ｃは、水平方向に延びる長軸を有し、長軸方向の長さが３５０ｍｍであり、短軸方向の長さが１４０ｍｍである楕円形状に形成されるのが好ましい。この構成により、洗髪中、洗髪作業者は両方の手をそれぞれ、作業用孔７１２ｃから入れて洗髪することができる。
作業済みの液体などは、洗髪器７１０の底開口部７１２ｆから排水用管６８２を介して給排水ユニット７５０の排水部に送られる。給排水ユニット７５０の排水部は、作業済みの液体を受け入れて、固体と流体を分離し、それぞれ所定の容器又は管路に排出するように構成される。
【００７０】
給湯用管７６２の一端が給排水ユニット７５０内の給湯部に接続される。シャワーヘッド７６４が給湯用管７６２の他端に接続される。シャワーヘッド７６４は、円盤状の噴射頭部と、噴射頭部の後面の中央部に設けられた直線パイプ部と、直線パイプ部の後端部に設けられた支持用の円板部と、円板部の後側に設けられた曲線パイプ部とを有する。曲線パイプ部の後端部は、給湯用管７６２の一端に接続される。シャワーヘッド７６４の噴射頭部の表面には複数の噴射孔が設けられる。介護者、又は、洗髪すべき者１４２の家族などの洗髪作業者７４２は、シャワーヘッド７６４の直線パイプ部を手で保持して、洗髪作業を行うことができる。
この洗髪装置７００は、特に、病院、介護施設、美容院、床屋、家庭などの多くの環境で使用することができる。ユーザが洗髪装置７００を購入して使用することもできるし、病院、介護施設などが洗髪装置７００を購入して、プリペイドカード方式でユーザに使用させることもできる。
以上説明したように、本発明の洗髪装置７００では、洗髪作業および髪を乾かす作業は、全て本体ヘルメット７１２の中で行われる。したがって、患者などの洗髪すべき者１４２をベッドに寝かせた状態で、或いは、美容院などで洗髪すべき者を椅子に配置して仰向きにした状態で、周囲をよごすことなく洗髪すべき者を気持ち良く洗髪することができる。
【図面の簡単な説明】
【図１】図１は、本発明の洗髪装置の第１の実施の形態において、洗髪装置を用いて洗髪をするときの状態を示す斜視図である。
【図２】図２は、本発明の洗髪装置の第１の実施の形態において、洗髪器と関連部品を示す分解斜視図である。
【図３】図３は、本発明の洗髪装置の第１の実施の形態において、洗髪器を示す側断面図である。
【図４】図４は、本発明の洗髪装置の第１の実施の形態において、洗髪器の追加作業孔の部分を示す側断面図である。
【図５】図５は、本発明の洗髪装置の第１の実施の形態において、図３の矢印５Ａ方向から見た洗髪器の形状を示す図である。
【図６】図６は、本発明の洗髪装置の第１の実施の形態において、図３の矢印６Ａ方向から見た洗髪器の形状を示す図である。
【図７】図７は、本発明の洗髪装置の第１の実施の形態において、図３の矢印７Ａ方向から見た洗髪器の形状を示す図である。
【図８】図８は、本発明の洗髪装置の第１の実施の形態において、洗髪器の頭部受座の形状を示す図である。
【図９】図９は、本発明の洗髪装置の第１の実施の形態において、洗髪器の頭部受座を取り付ける部分の形状を示す図である。
【図１０】図１０は、本発明の洗髪装置の第１の実施の形態において、洗髪器の前開口部を示す斜視図である。
【図１１】図１１は、本発明の洗髪装置の第１の実施の形態において、洗髪器の前開口部に適用される頭部シール部材を示す斜視図である。
【図１２】図１２は、本発明の洗髪装置の第１の実施の形態において、洗髪器の前開口部に適用される頭部シール部材の使用状態を示す斜視図である。
【図１３】図１３は、本発明の洗髪装置の第１の実施の形態において、洗髪器の前開口部に適用される頭部シール部材の取り付け状態を示す斜視図である。
【図１４】図１４は、本発明の洗髪装置の第１の実施の形態において、洗髪器の前開口部に適用される頭部シール部材の取り付け状態を示す斜視図である。
【図１５】図１５は、本発明の洗髪装置の第１の実施の形態において、作業用孔シール部材を取り付ける部分を示す側断面図である。
【図１６】図１６は、本発明の洗髪装置の第１の実施の形態において、作業用孔シール部材を示す平面図である。
【図１７】図１７は、本発明の洗髪装置の第１の実施の形態において、シャワーヘッド用ホルダを洗髪器に取り付けた状態を示す斜視図である。
【図１８】図１８は、本発明の洗髪装置の第１の実施の形態において、シャワーヘッド用ホルダを示す側面図である。
【図１９】図１９は、本発明の洗髪装置の実施の形態に用いられる給湯装置および送風装置の概観を示す斜視図である。
【図２０】図２０は、本発明の洗髪装置に用いられるのシャワーヘッドの実施の形態の概略構造を示す正面図である。
【図２１】図２１は、本発明の洗髪装置に用いられるのシャワーヘッドの実施の形態の概略構造を示す側面図である。
【図２２】図２２は、本発明の洗髪装置に用いられるのドライヤヘッドの実施の形態の概略構造を示す斜視図である。
【図２３】図２３は、本発明の洗髪装置の第１の実施の形態において、排水部材を示す側断面図である。
【図２４】図２４は、本発明の洗髪装置の第１の実施の形態において、排水部材を示す斜視図である。
【図２５】図２５は、本発明の洗髪装置の第２の実施の形態において、洗髪器を示す側面図である。
【図２６】図２６は、本発明の洗髪装置の第２の実施の形態において、洗髪器を示す背面図である。
【図２７】図２７は、本発明の洗髪装置の第３の実施の形態において、洗髪器を示す側面図である。
【図２８】図２８は、本発明の洗髪装置の第３の実施の形態において、洗髪器を示す上面図である。
【図２９】図２９は、本発明の洗髪装置の第４の実施の形態において、洗髪器を示す分解側面図である。
【図３０】図３０は、本発明の洗髪装置の第４の実施の形態において、洗髪器を示す分解背面図である。
【図３１】図３１は、本発明の洗髪装置の第５の実施の形態において、洗髪器を示す側面図である。
【図３２】図３２は、本発明の洗髪装置の第５の実施の形態において、洗髪器を示す上面図である。
【図３３】図３３は、本発明の洗髪装置の第６の実施の形態において、洗髪装置を用いて洗髪をするときの状態を示す斜視図である。
【図３４】図３４は、本発明の洗髪装置の第６の実施の形態において、洗髪器および給湯装置の概観を示す斜視図である。
【図３５】図３５は、本発明の洗髪装置の第６の実施の形態において、使用状態におけるシャワーヘッドの概観を示す斜視図である。
【図３６】図３６は、本発明の洗髪装置の第７の実施の形態において、洗髪装置を用いて洗髪をするときの状態を示す斜視図である。
【図３７】図３７は、本発明の洗髪装置の第７の実施の形態において、洗髪器および給湯装置の概観を示す斜視図である。
【符号の説明】
１００　　洗髪装置
１１０　　洗髪器
１１２　　本体ヘルメット
１１２ｃ、１１２ｄ　作業用孔
１１２ｇ　追加作業用孔
１２０ｂ、１２０ｃ　頭部受座
１２４　　頭部シール部材
１３０　　作業用孔シール部材
１４２　　洗髪すべき者
１６０　　給湯装置
１６２　　給湯用管
１６４　　シャワーヘッド
１６８　　洗髪器収納ボックス
１７０　　送風装置
１７２　　送風用管
１７４　　ドライヤヘッド
１８０　　排水装置
１９０　　排水ポット
１９２　　排水ポンプ
２１０　　洗髪器
２１２　　本体ヘルメット
３１０　　洗髪器
３１２　　本体ヘルメット
４１０　　洗髪器
４１２　　本体ヘルメット
５１０　　洗髪器
５１２　　本体ヘルメット
６００　　洗髪装置
６１０　　洗髪器
６１２　　本体ヘルメット
６５０　　給排水ユニット
６９０　　排水ポット
７００　　洗髪装置
７１０　　洗髪器
７５０　　給排水ユニット
７７２　　洗髪器支持部材
【図１】
2004016582.tif 000003
【図２】
2004016582.tif 000004
【図３】
2004016582.tif 000005
【図４】
2004016582.tif 000006
【図５】
2004016582.tif 000007
【図６】
2004016582.tif 000008
【図７】
2004016582.tif 000009
【図８】
2004016582.tif 000010
【図９】
2004016582.tif 000011
【図１０】
2004016582.tif 000012
【図１１】
2004016582.tif 000013
【図１２】
2004016582.tif 000014
【図１３】
2004016582.tif 000015
【図１４】
2004016582.tif 000016
【図１５】
2004016582.tif 000017
【図１６】
2004016582.tif 000018
【図１７】
2004016582.tif 000019
【図１８】
2004016582.tif 000020
【図１９】
2004016582.tif 000021
【図２０】
2004016582.tif 000022
【図２１】
2004016582.tif 000023
【図２２】
2004016582.tif 000024
【図２３】
2004016582.tif 000025
【図２４】
2004016582.tif 000026
【図２５】
2004016582.tif 000027
【図２６】
2004016582.tif 000028
【図２７】
2004016582.tif 000029
【図２８】
2004016582.tif 000030
【図２９】
2004016582.tif 000031
【図３０】
2004016582.tif 000032
【図３１】
2004016582.tif 000033
【図３２】
2004016582.tif 000034
【図３３】
2004016582.tif 000035
【図３４】
2004016582.tif 000036
【図３５】
2004016582.tif 000037
【図３６】
2004016582.tif 000038
【図３７】
2004016582.tif 000039